(57)【要約】【課題】ガイド部とスライド部とを容易に係合させる。【解決手段】ガイド部１１０の係合部１１４とスライド部１２０の被係合部１２２との係合方向と、手差給紙部１００にガイド部１１０を取り付ける取付方向とは、いずれも略水平方向Ｘであり、略一致している。よって、ガイド部１１０の取り付け作業と同時に（一連の作業動作で）ガイド部１１０とスライド部１２０とを係合できる。また、取付方向にガイド部１１０を移動することで係合するので、係合部分を視認しにくい（或いは、できない）場合でも作業を行ないやすい。また、上方にスペースがない場合でも作業を行ないやすい。【選択図】図９
2008110832.tif 000002
【特許請求の範囲】
【請求項１】
シート状の記録媒体の給送方向と直交する幅方向に移動し、前記記録媒体の前記幅方向の位置を規制するガイド部と、
前記ガイド部と一体となって前記幅方向に移動するスライド部と、
を備える給送部であって、
前記ガイド部に設けられた係合部と、
前記スライド部に設けられ、前記ガイド部の前記係合部が係合する被係合部と、
を有し、
前記ガイド部は、当該給送部に重力方向とは異なる取付方向で取り付けられ、
前記ガイド部の前記係合部と前記スライド部の前記被係合部との係合方向は、前記取付方向と略一致していることを特徴とする給送部。
【請求項２】
前記記録媒体が挿入される開口部を有し、
前記ガイド部は、前記開口部から挿入して取り付けることを特徴とする請求項１に記載の給送部。
【請求項３】
前記幅方向を長手方向とする溝部を有し、
前記ガイド部は、前記溝部に係合する突起部を有することを特徴とする請求項１、又は請求項２に記載の給送部。
【請求項４】
前記ガイド部の前記係合部は、取付方向側に突出していることを特徴とする請求項１から請求項３のいずれか１項に記載の給送部。
【請求項５】
前記スライド部の前記被係合部は、前記ガイド部の取付方向側に突出した前記係合部の上面部が当接する下面部を有することを特徴とする請求項４に記載の給送部。
【請求項６】
前記スライド部の前記被係合部及び前記ガイド部の前記係合部には、
前記取付方向を長手方向とする溝状の凹部と、
前記被係合部の前記凹部に嵌合する凸部と、
を有することを特徴とする請求項１から請求項５のいずれか１項に記載の給送部。
【請求項７】
前記ガイド部の前記係合部と前記スライド部の前記被係合部とが係合した後、
前記ガイド部と前記スライド部とが相対的に取付方向に移動することを規制する規制手段を有することを特徴とする請求項１から請求項６のいずれか１項に記載の給送部。
【発明の詳細な説明】
【技術分野】
【０００１】
本発明は、給送部に関する。
【背景技術】
【０００２】
画像形成装置には、画像を形成するためのシート状の記録媒体を画像形成部に給送する給送部が備えられている。給送部には、記録媒体の大きさ（サイズ）に応じて給送方向と直交する幅方向に移動し、記録媒体の幅方向の位置を規制するガイド部を備えている。更に、ガイド部は一対備えられ、それぞれのガイド部には、ピニオンを挟んでピニオンに噛合するラックが形成されたスライド部が取り付けられている。したがって、一方のガイド部の移動に連動して、他方のガイド部が移動する構成となっている（例えば、特許文献１、特許文献２を参照）。
【特許文献１】特許３４６６３７８号
【特許文献２】特開２００５−２６３４３９号公報
【発明の開示】
【発明が解決しようとする課題】
【０００３】
しかしながら、従来の給送部では、ガイド部の係合部をスライド部の被係合部に上方から押し込んで、ガイド部とスライド部とを係合させている。
【０００４】
このような係合はスライド部の上方に十分なスペースがないと係合作業が行ないにくい。また、係合方向が重力方向であるので、ガイド部を上方に持ち上げると係合が外れやすい。
【０００５】
本発明は、上記問題を解決すべく成されたもので、ガイド部とスライド部とを容易に係合させることを目的とする。
【課題を解決するための手段】
【０００６】
上記目的を達成するために請求項１に記載の給送部は、シート状の記録媒体の給送方向と直交する幅方向に移動し、前記記録媒体の前記幅方向の位置を規制するガイド部と、前記ガイド部と一体となって前記幅方向に移動するスライド部と、を備える給送部であって、前記ガイド部に設けられた係合部と、前記スライド部に設けられ、前記ガイド部の前記係合部が係合する被係合部と、を有し、前記ガイド部は、当該給送部に重力方向とは異なる取付方向で取り付けられ、前記ガイド部の前記係合部と前記スライド部の前記被係合部との係合方向は、前記取付方向と略一致していることを特徴としている。
【０００７】
請求項１に記載の給送部では、ガイド部の係合部とスライド部の被係合部との係合方向は、当該給送部にガイド部を取り付ける取付方向と略一致している。よって、ガイド部の取り付け作業と同時に（一連の組立作業動作で）、ガイド部とスライド部とを係合できる。また、係合部分を視認しにくい（或いは、できない）場合でも作業を行ないやすい。
【０００８】
更に、係合方向（及び取付方向）は、重力方向と異なるので、ガイド部をスライド部に係合したのち、ガイド部を持ち上げても係合が外れることがない。また、上方のスペースが小さい場合でも作業を行ないやすい。
【０００９】
請求項２に記載の給送部は、請求項１に記載の構成において、前記記録媒体が挿入される開口部を有し、前記ガイド部は、前記開口部から挿入して取り付けることを特徴としている。
【００１０】
請求項２に記載の給送部では、記録媒体が挿入される開口部からガイド部を挿入して取り付けるので、組立作業が容易である。
【００１１】
請求項３に記載の給送部は、請求項１、又は請求項２に記載の構成において、前記幅方向を長手方向とする溝部を有し、前記ガイド部は、前記溝部に係合する突起部を有することを特徴としている。
【００１２】
請求項３に記載の給送部では、幅方向を長手方向とする溝部に、ガイド部の突起部が係合する。よって、ガイド部は記録媒体の給送方向と直交する幅方向のみに移動するので、ガイド部が安定して幅方向に移動する。
【００１３】
請求項４に記載の給送部は、請求項１から請求項３のいずれか１項に記載の構成において、前記ガイド部の前記係合部は、取付方向側に突出していることを特徴としている。
【００１４】
請求項４に記載の給送部では、ガイド部の係合部が取付方向側に突出している。よって、ガイド部を取付方向に移動させると、係合部が最初にスライド部の被係合部と当接するので、組立作業（係合作業）が容易である。
【００１５】
請求項５に記載の給送部は、請求項４に記載の構成において、前記スライド部の前記被係合部は、前記ガイド部の取付方向側に突出した前記係合部の上面部が当接する下面部を有することを特徴としている。
【００１６】
請求項５に記載の給送部では、スライド部の被係合部の下面部に、ガイド部の取付方向側に突出した係合部の上面部が当接する。よって、取付方向側に突出した係合部の上面部で、スライド部の被係合部の下面部をすくうようにして、係合させることができるので、組立性が良い。
【００１７】
請求項６に記載の給送部は、請求項１から請求項５に記載の構成において、前記スライド部の前記被係合部および前記ガイド部の前記係合部には、前記取付方向を長手方向とする溝状の凹部と、前記被係合部の前記凹部に嵌合する凸部と、を有することを特徴としている。
【００１８】
請求項６に記載の給送部では、ガイド部の係合部の凸部がスライド部の被係合部の凹部に嵌合することで、より確実に係合する。
【００１９】
請求項７に記載の給送部は、請求項１から請求項６のいずれか１項に記載の構成において、前記ガイド部の前記係合部と前記スライド部の前記被係合部とが係合した後、前記ガイド部と前記スライド部とが相対的に取付方向に移動することを規制する規制手段を有することを特徴としている。
【００２０】
請求項７に記載の給送部では、ガイド部の係合部とスライド部の被係合部とが係合した後、規制手段によってガイド部とスライド部とが相対的に取付方向に移動することが規制されているので、ガイド部の係合部とスライド部の被係合部とが係合が外れにくい。
【発明の効果】
【００２１】
以上説明したように本発明によれば、ガイド部の取り付け作業と同時にガイド部とスライド部とを係合できるので、作業性が良い。
【発明を実施するための最良の形態】
【００２２】
以下、図面を参照して本発明の第一の実施形態について説明する。
【００２３】
図１に示す画像形成装置１０は、外部装置から入力された画像情報に基づいてシート状の記録媒体としての記録用紙Ｐ１（図２参照）に画像を形成するものであり、装置本体１２の下部に、給紙カセット２０が配置されている。なお、図１の左手前側を装置正面、右奥側を装置奥側とする。なお、図１の矢印Ｓに沿って、左手前側が装置手前側（正面側）であり、右奥側が装置奥側である。
【００２４】
図１と図２とに示すように、給紙カセット２０は、装置本体１２の正面に形成された装着口１８から抜き差し方向（矢印Ｓ方向）に抜き差しすることで、着脱可能とされている。
【００２５】
図３に示すように、給紙カセット２０は、箱状に形成されて記録用紙Ｐ１を収容するカセット本体２２を備えている。カセット本体２２は、長方形状の底面２４と、この底面２４の外周に沿って外枠を構成する枠壁２５とを備えている。また、カセット本体２２の底面２４の上に、弾性部材（図示略）の弾性力により上昇方向に持ち上げられるボトムプレート２６が備えられ、このボトムプレート２６上に記録用紙Ｐ１（図２参照）が積載される。
【００２６】
そして、給紙カセット２０に収容された記録用紙Ｐは、図示しない給紙機構によって、記録用紙Ｐ１の給送方向（矢印Ｔ方向）に送り出される。給紙カセット２０から給送された記録用紙Ｐ１は、図示しない搬送手段により搬送され、図１に示す画像形成装置１０内の図示しない画像形成部で画像が形成されて、装置本体１２の上部の排紙部１４に排出される。
【００２７】
なお、画像形成装置１０の画像形成部の画像形成方式は、どのような方式であっても良い。例えば、電子写真方式であっても良いし、インクジェット方式であっても良い。或いは、熱転写方式やインパクトドット方式であっても良い。
【００２８】
さて、図１に示すように、給紙カセット２０には、この給紙カセット２０に積載された記録用紙Ｐ１以外の、シート状の記録媒体としての記録用紙Ｐ２を、給紙カセット２０の前面（画像形成装置の正面）に設けられた開口部１０２から、ユーザーが手で挿入しても画像形成部に搬送可能となっている。すなわち、所謂、手差し給紙可能となっている。なお、この開口部１０２から給紙する機構部分を手差給紙部１００とする。
【００２９】
図３に示すように、手差給紙部１００は、一対のガイド部１１０、２１０を開口部１０２に備えている。なお、ガイド部１１０、２１０は、開口部１０２を、記録用紙Ｐの給送方向（矢印Ｔ方向）に対して直交する幅方向（矢印Ｗ方向）にスライド可能となっている。そして、記録用紙Ｐの大きさ（サイズ）に応じて、ガイド部１１０、２１０を幅方向にスライドさせて位置を変更することで、記録用紙Ｐ２の幅方向の端部に当って、記録用紙Ｐ２の幅方向の位置決めをする。
【００３０】
図５に示すように、ガイド部１１０は、開口部１０２の中を通り、給紙カセット２０の内側（枠壁２５の内）に配置されたラック歯Ｈが形成されたスライド部１２０（図８も参照）の被係合部１２２とガイド部１１０の係合部１１４が係合している。なお、図示は省略するが、ガイド部２１０も、ラック歯Ｈが形成されたスライド部２２０と係合している。また、ガイド部１１０の係合部１１４とスライド部１２０の被係合部１２２との係合についての詳細は後述する。
【００３１】
図４に示すように、一対のスライド部１２０、２２０は、幅方向を長手方向とし、互いに平行に並ぶように配置されている。なお、図４は、給紙カセット２０を裏から見た図である（図３の反対側から見た図）。そして、スライド部１２０、２２０には、互いに相対する辺部にラック歯Ｈ（図８も参照）が形成されている。そして、このラック歯Ｈの間にピニオンギア３４が回転可能に配置され、ラック歯Ｈにかみ合っている。よって、一方のガイド部１１０を幅方向にスライドさせると、連動して他方のガイド部１１２が逆方向にスライドする。
【００３２】
つぎに、ガイド部１１０、２１０とスライド部１２０、２２０の詳細について説明する。なお、代表して一方のガイド部１１０とスライド部１２０を図示して説明するが、他方のガイド部２１０とスライド部２２０は、左右の向き及び配置は異なるが同様の構成をしている。
【００３３】
図６、図７に示すように、ガイド部１１０は、装置正面側の用紙ガイド部１１２と装置奥側のスライド部１２０の被係合部１２２（図５参照）と係合する係合部１１４と、を有している。
【００３４】
ガイド部１１０の用紙ガイド部１１２は、装置外側の側面部１１２Ａと、この側面部１１２Ａの内側から水平に突出し、緩やかに上方に傾斜した傾斜面部１１２Ｂと、を有している。
【００３５】
ガイド部１１０の係合部１１４は、装置奥側の垂直の端壁部１１６を有している。更に、端壁部１１６の下端部の幅方向の両端部から装置奥側に向かって水平方向に延出した延出部１１８Ａ、１１８Ｂを有している。更に、これら延出部１１８Ａ，Ｂは、下部から互いに向かって水平方向に延出した引掛部１１９Ａ，Ｂを有している。つまり、図６（Ｂ）に示すように、係合部１１４を装置奥側から正面側（矢印Ｓ方向）にみると、Ｔ字状のＴ字状空間１３０が形成されるようになっている。
【００３６】
また、ガイド部１１０の用紙ガイド部１１２の上部に突起部１０８が形成されている。      
【００３７】
更に、図７に示すように、延出部１１８Ａ，Ｂの下面部には、穴部１３２が形成されている。
【００３８】
図８に示すように、スライド部１２０の長手方向端部（幅方向端部）の上部には、四角形状の被係合部１２２が形成されている。被係合部１２２は、上面部１２６から立設し、装置後方からみると前述したガイド部１１０の係合部１１４のＴ字状空間１３０（図６参照）と同形状のＴ字状部１２４を含で構成されている。また、上面部１２６には、前述した延出部１１８Ａ，１１８Ｂの穴部１３２と係合可能な半円部１２８が形成されている。
【００３９】
そして、図５と図９とに示すように、ガイド部１１０の延出部１１８Ａ，１１８Ｂの引掛部１１９Ａ，１１９Ｂによって形成されたＴ字状空間１３０に、スライド部１２０の被係合部１２２のＴ字状部１２４が嵌るように係合する。
【００４０】
つぎに、ガイド部１１０の取り付けと、ガイド部１１０の係合部１１４とスライド部１２０との被係合部１２２との係合について詳しく説明する。
【００４１】
まず、スライド部１２０を、給紙カセット２０に取り付ける。つまり、図５で、ガイド部１１０が取り付けられていない状態となる。
【００４２】
つぎに、図９（Ａ）に示すように、装置正面に形成された給紙カセット２０の開口部１０２からガイド部１１０を挿入する。なお、本実施形態の場合、挿入方向（取付方向）は矢印Ｘで示すように、略水平方向であり、装置正面側から装置奥側である。
【００４３】
そして、図９（Ｂ）と図５とに示すように、ガイド部１１０の係合部１１４をスライド部１２０の被係合部１２２に係合させる。なお、被係合部１２２のＴ字状部１２４が係合部１１４のＴ字状空間１３０に嵌るように係合する。また、被係合部１２２の上面部１２６の半円部１２８に、ガイド部１１０の延出部の延出部１１８Ａ，１１８Ｂの穴部１３２が係合する。
【００４４】
また、図４に示すように、幅方向を長手方向とする溝部１０９に、ガイド部１１０の用紙ガイド部１１２の上部の突起部１０８が係合する。
【００４５】
なお、他方のガイド部２１０の取り付け、及びガイド部２１０とスライド部２２０との係合も同様である。
【００４６】
つぎに、本実施形態の作用について説明する。
【００４７】
ガイド部１１０の係合部１１４とスライド部１２０の被係合部１２２との係合方向と、手差給紙部１００にガイド部１１０を取り付ける取付方向とは、いずれも略水平方向Ｘであり、略一致している。よって、ガイド部１１０の取り付け作業と同時に（一連の作業動作で）、ガイド部１１０とスライド部１２０とを係合できるので組立作業が容易である。また、このため、係合部分を視認しにくい（或いは、できない）場合でも作業を行ないやすい。また、上方にスペースがない場合でも作業を行ないやすい。
【００４８】
更に、係合方向（及び取付方向）は、略水平方向Ｘであり、重力方向とは異なる方向であるので、ガイド部１１０をスライド部１２０に係合したのち、ガイド部１１０を持ち上げても係合が外れることがない（図５と図９を参照）。
【００４９】
また、記録用紙Ｐ２が挿入される開口部１０２からガイド部１１０を挿入して取り付けるので、組立作業が容易である。
【００５０】
また、図４に示すように、幅方向を長手方向とする溝部１０９に、ガイド部１１０の用紙ガイド部１１２の上部の突起部１０８が係合する。よって、ガイド部１１０は給送方向Ｔと直交する幅方向Ｗのみに移動するので、ガイド部１１０が安定して幅方向に移動（スライド）する。
【００５１】
また、図９に示すように、ガイド部１１０の係合部１１４は、取付方向側（矢印Ｘ）に突出している。よって、ガイド部１１０を取付方向に移動させると、係合部１１４が最初にスライド部１２０の被係合部１２２と当接するので、組立作業（係合作業）が容易である。
【００５２】
また、スライド部１２０の被係合部１２２のＴ字状部１２４の下面１２４Ａをガイド部１１０の係合部１１４の引掛部１１９Ａ，Ｂですくうようにして、係合させることができる。よって、組立作業（係合作業）が容易である。
【００５３】
また、スライド部１２０の被係合部１２２のＴ字状部１２４がガイド部１１０係合部１１４のＴ字状空間１３０に嵌るように係合するので、確実に係合する。
【００５４】
また、被係合部１２２の上面部１２６の半円部１２８に、ガイド部１１０の延出部の延出部１１８Ａ，１１８Ｂの穴部１３２が係合するので、外れにくい。
【００５５】
つぎに、本発明の第二の実施形態について説明する。
【００５６】
図１１に示すように、給紙カセット５２０は、箱状に形成され、記録用紙（図示略）を収容する記録媒体収容部本体としてのカセット本体５２２を備えている。カセット本体５２２は、長方形状の底面５２４と、この底面５２４の外周に沿って外枠を構成する枠壁５２５とを備えている。また、カセット本体５２２の底面２４の上に、弾性部材（図示略）の弾性力により上昇方向に持ち上げられるボトムプレート（図示略）が備えられ、このボトムプレート上に記録用紙が積載される。
【００５７】
そして、給紙カセット５２０に収容された記録用紙Ｐは、図示しない給紙機構によって、給送方向に（図１１の上方に向かって）送り出される。給紙カセット５２０から給送された記録用紙Ｐは、図示しない搬送手段により搬送され、画像形成部で画像が形成されて排出される。
【００５８】
さて、給紙カセット５２０のカセット本体５２２における、記録用紙の給送方向と直交する幅方向（矢印Ｗ方向）の両側に配置された枠壁５２５の内側には、２枚のサイドガイド部５３０Ａ、５３０Ｂが設けられている。これらのサイドガイド部５３０Ａ、５３０Ｂは、カセット本体５２２に収容される記録用紙Ｐの幅方向の端部に当って、記録用紙の幅方向の位置決めをする。
【００５９】
また、幅方向Ｗを長手方向とするスリット状のスライド孔６００Ａ、６００Ｂが底面５２４に形成され、このスライド孔６００Ａ、６００Ｂに沿ってサイドガイド部５３０Ａ，５３０Ｂがスライドする。
【００６０】
なお、以降、一方をサイドガイド部５３０Ａのように符号（５３０）の後にＡを付し、他方をサイドガイド部５３０Ｂにように符号（３０）の後にＢを付す。また、一方のサイドガイド部５３０Ａに対応する各種部材等も符号の後にＡを付し、他方のサイドガイド部５３０Ｂに対応する各種部材等も符号の後にＢを付す。更に、一方（又は他方）のみを図示して説明し、他方（又は一方）の図示や説明を省略する場合もある。
【００６１】
サイドガイド部５３０Ａ、５３０Ｂは、略長方形板状とされ、板面が両サイドの枠壁５２５と略平行になるように配置されている。サイドガイド部５３０Ａ、５３０Ｂの下部には、両サイドの枠壁２５から離れる方向（幅方向Ｗの内側方向）を長手方向とするスライド部５３２Ａ、５３２Ｂに係合している。そして、これらスライド部５３２Ａ、５３２Ｂは、互いに平行に並ぶように配置されている。また、スライド部５３２Ａ、５３２Ｂには、互いに相対する辺部にラック歯Ｈが形成されている。底面５２４の幅方向（矢印Ｗ方向）の中央部には、スライド部５３２Ａ、５３２Ｂのラック歯Ｈと噛み合い可能なピニオン５３４が回転可能に取り付けられている。なお、スライド部５３２Ａ，５３２Ｂ、ピニオン５３４は、底面５２４の裏面側に配置されている。
【００６２】
図１０に示すように、サイドガイド部５３０Ａは、用紙ガイド部５３２Ａと、下方に向かって突出しスライド部５３２Ａの被係合部５２３Ａと係合する係合部５３４Ａと、を有している。
【００６３】
図１０（Ｂ）に示すように、サイドガイド部５３０Ａの係合部５３４Ａは、矢印Ｓ方向にみると、Ｔ字状のＴ字状空間５４０が形成されている。
【００６４】
スライド部５３２Ａの長手方向端部（幅方向端部）には、スライド孔６００Ａから突き出るように被係合部５２３Ａが形成されている。被係合部５３２Ａは、ガイド部５３０Ａの係合部５３２ＡのＴ字状空間５４０と同形状のＴ字状部５２４を備えている。
【００６５】
そして、サイドガイド部５３０のＴ字状空間５４０に、スライド部５３２の被係合部５２３のＴ字状部５２４が嵌るように係合する。
【００６６】
つぎに本実施形態の作用について説明する。
【００６７】
第一実施形態と同様に、サイドガイド部５３０の係合部５３４とスライド部５３２の被係合部５２３との係合方向と、給紙カセット５２０にガイド部５３０を取り付ける取付方向とは、いずれも略水平方向Ｘであり、略一致している。よって、サイドガイド部５３０の取り付け作業と同時に（一連の作業動作で）、サイドガイド部５３０とスライド部５３２とを係合できるので組立作業が容易である。また、上方のスペースが小さい場合でも作業を行ないやすい。
【００６８】
更に、係合方向（及び取付方向）は、略水平方向Ｘであり、重力方向とは異なる方向であるので、サイドガイド部５３０をスライド部５３２に係合したのち、サイドガイド部５３０を持ち上げても係合が外れることがない。
【図面の簡単な説明】
【００６９】
【図１】本発明の第一実施形態の画像形成装置を示す斜視図である。
【図２】給紙カセットを引き出した状態の画像形成装置を示す斜視図である。
【図３】給紙カセットを示す斜視図である。
【図４】給紙カセットを裏面から見た平面図である。
【図５】ガイド部とスライド部の係合部分の拡大図である。
【図６】（Ａ）ガイド部を示す斜視図であり、（Ｂ）はガイド部を正面から見た図である。
【図７】ガイド部を下から上と見上げた斜視図である。
【図８】スライド部の斜視図である。
【図９】ガイド部とスライド部とが係合する様子を（Ａ）から（Ｂ）へと順番に示す図である。
【図１０】本発明の第二実施形態の給紙カセットを示し、（Ａ）は上面から見た図あり、（Ｂ）は（Ａ）のＢＢ断面の図である。
【図１１】本発明の第二実施形態の給紙カセットの上面図である。
【符号の説明】
【００７０】
１００        手差給送部（給送部）
１０２        開口部
１０８        突起部
１０９        溝部
１１０        ガイド部
１１４        係合部
１１９Ａ      引掛部（凸部）
１１９Ｂ      引掛部（凸部）
１２０        スライド部
１２２        被係合部
１２４        Ｔ字状部（凹部）
１２８        半円部（規制手段）
１３２        穴部（規制手段）
２１０        ガイド部
２２０        スライド部
５３０Ａ      サイドガイド
５３０Ｂ      サイドガイド
５３４Ａ      係合部
５２３Ａ      被係合部
Ｗ        幅方向
Ｐ２      記録用紙（記録媒体）
Ｘ        取付方向
【図１】
2008110832.tif 000003
【図２】
2008110832.tif 000004
【図３】
2008110832.tif 000005
【図４】
2008110832.tif 000006
【図５】
2008110832.tif 000007
【図６】
2008110832.tif 000008
【図７】
2008110832.tif 000009
【図８】
2008110832.tif 000010
【図９】
2008110832.tif 000011
【図１０】
2008110832.tif 000012
【図１１】
2008110832.tif 000013